(57)【特許請求の範囲】
【請求項１】
地面に立設された支持部材と、
二枚の薄板の間に、発泡体で形成された芯材またはハニカム構造体で構成された芯材が配置されて構成され、前記支持部材に固定される屋根材と、
前記屋根材の上面に取り付けられる水切部材と、を備え、
前記屋根材は矩形状に形成され、
前記水切部材は前記屋根材の四辺に沿って設けられ、
前記水切部材における、前記屋根材の勾配下側の端部に隙間が形成されていることを特徴とする屋外用構造物。
【請求項２】
地面に立設された支持部材と、
二枚の薄板の間に、発泡体で形成された芯材またはハニカム構造体で構成された芯材が配置されて構成され、前記支持部材に固定される屋根材と、
前記屋根材の上面に取り付けられる水切部材と、を備え、
前記屋根材の勾配下側の辺の近傍に、該勾配下側の辺に対して斜めに一本の前記水切部材が設けられていることを特徴とする屋外用構造物。
【請求項３】
前記水切部材は、長尺な壁部と、前記屋根材への取付部とを有する
請求項１または請求項２に記載の屋外用構造物。
【請求項４】
前記屋根材は、水平方向に対して傾斜して前記支持部材に固定され、
前記水切部材は、前記屋根材の上面に少なくとも一つ設けられる
請求項１から請求項３のいずれか一項に記載の屋外用構造物。
【請求項５】
前記水切部材は、前記屋根材の上面に接着剤を介して貼着されている
請求項１から請求項４のいずれか一項に記載の屋外用構造物。
【請求項６】
前記水切部材は、前記屋根材の上面に対向配置される接着部と、該接着部の端部から略垂直方向に延びる壁部と、を備えて断面略Ｌ字状に形成され、
前記接着部が前記壁部よりも前記屋根材の外周側に位置するように配置されている
請求項１から請求項５のいずれか一項に記載の屋外用構造物。
【請求項７】
地面に支持部材を立設する工程と、
二枚の薄板の間に、発泡体で形成された芯材またはハニカム構造体で構成された芯材が配置されて構成された屋根材の上面に、長尺な水切部材を取り付ける工程と、
前記屋根材を水平方向に対して傾斜させて前記支持部材に固定する工程と、を備え、
前記屋根材は矩形状に形成され、
前記水切部材を取り付ける工程において、前記水切部材は前記屋根部の四辺に沿って設けるとともに、前記屋根材の勾配下側の端部に前記水切部材同士の間に隙間を形成するようにして前記水切部材を取り付けることを特徴とする屋外用構造物の施工方法。
【請求項８】
地面に支持部材を立設する工程と、
二枚の薄板の間に、発泡体で形成された芯材またはハニカム構造体で構成された芯材が配置されて構成された屋根材の上面に、長尺な水切部材を取り付ける工程と、
前記屋根材を水平方向に対して傾斜させて前記支持部材に固定する工程と、を備え、
前記水切部材を取り付ける工程において、前記屋根材の勾配下側の辺の近傍に、該勾配下側の辺に対して斜めにして一本の前記水切部材を取り付けることを特徴とする屋外用構造物の施工方法。
【発明の詳細な説明】
【技術分野】
【０００１】
本発明は、屋外用構造物および屋外用構造物の施工方法に関する。
【背景技術】
【０００２】
バス停、駐車場、駐輪場や、屋外の通路等において、雨避け等の目的で屋根が設置される場合がある。例えば、カーポート等を構成する所定の部品を工場で作製し、この部品を設置現場で組み立てて施工する屋外用構造物が知られている（特許文献１、特許文献２）。
【０００３】
特許文献１及び特許文献２のような従来の屋外構造物では、一般的に、屋根に受ける雨水を排水する雨樋が設けられている。例えば、特許文献２の簡易屋根では、後横桟の近傍に雨受けと、雨水等を流す排水パイプが取付けられている。このように、屋根に雨樋を設ける際、施工現場において、枠材に雨樋を取り付けるための孔を開ける加工が行われている。
【先行技術文献】
【特許文献】
【０００４】
【特許文献１】特開２０１４−１５６７２９号公報
【特許文献２】特開２０１０−５９７１６号公報
【発明の概要】
【発明が解決しようとする課題】
【０００５】
近年、意匠性の高い屋外構造物に対するニーズが増加している。しかし、上記従来の屋根のように雨樋及び排水パイプを設けると、屋根の周囲に雨樋のスペースを確保する必要があり、雨樋が屋根の外観に影響を与えていた。また、施工現場での負担を軽減することが望まれていた。
【０００６】
上記事情を踏まえ、本発明は、所望の位置に雨水を誘導可能であり、且つ、雨樋を設ける場合に比べて意匠性に優れた屋外用構造物、及び施工現場での負担を軽減できる屋外用構造物の施工方法を提供することを目的とする。
【課題を解決するための手段】
【０００７】
本発明に係る屋外用構造物は、地面に立設された支持部材と、二枚の薄板の間に、発泡体で形成された芯材またはハニカム構造体で構成された芯材が配置されて構成され、前記支持部材に固定される屋根材と、前記屋根材の上面に取り付けられる水切部材と、を備え、前記屋根材は矩形状に形成され、前記水切部材は前記屋根材の四辺に沿って設けられ、前記水切部材における、前記屋根材の勾配下側の端部に隙間が形成されていることを特徴とする。
【０００８】
この発明によれば、水切部材が屋根材の上面に取り付けられるので、屋根の周囲に雨樋を設ける必要がなく、雨樋が視認され難い。そのため、屋根の外観に影響を与えず、屋外用構造物の意匠性を向上できる。また、施工現場での負担を軽減し、且つ、意匠性に優れた屋外用構造物を提供することができる。さらに、屋根材が二枚の薄板の間に発泡体で形成された芯材またはハニカム構造体で構成された芯材が配置されて構成されるため、屋根材を軽量化することができ、且つ十分な強度が得られる。また、屋根材が軽量化されることで、従来の屋外用構造物で用いられているポリカーボネート製の屋根材に比べて強度を高くできるため、垂木や母屋等の屋根を構成する部品が不要となる。その結果、屋根を軽量化できるとともに、屋根材の下面（天井）を平坦にすることができ、意匠性に優れた屋外用構造物を提供できる。また、屋根が遮光性に優れる。
【０００９】
本発明に係る屋外用構造物は、地面に立設された支持部材と、二枚の薄板の間に、発泡体で形成された芯材またはハニカム構造体で構成された芯材が配置されて構成され、前記支持部材に固定される屋根材と、前記屋根材の上面に取り付けられる水切部材と、を備え、前記屋根材の勾配下側の辺の近傍に、該勾配下側の辺に対して斜めに一本の前記水切部材が設けられていることを特徴とする。
【００１１】
本発明に係る屋外用構造物において、前記水切部材は、長尺な壁部と、前記屋根材への取付部とを有してもよい。
【００１２】
この発明によれば、水切部材は、長尺な壁部を有するので、壁部により雨水を所望の位置に誘導できる。
【００１３】
本発明に係る屋外用構造物において、前記屋根材は、水平方向に対して傾斜して前記支持部材に固定され、前記水切部材は、前記屋根材の上面に少なくとも一つ設けられてもよい。
【００１４】
この発明によれば、屋根材が水平方向に対して傾斜して支持部材に固定され、且つ、水切部材は屋根材の上面に少なくとも一つ設けることで、簡易な構成により、屋根材の上面を流れる雨水等を所望の位置に誘導できる。
【００１５】
本発明に係る屋外用構造物において、前記水切部材は、前記屋根材の上面に接着剤を介して貼着されていてもよい。
【００１６】
この発明によれば、水切部材は接着剤を介して屋根材の上面に貼り着けられるので、屋根材の上面の任意の位置に水切部材を取り付けることができる。また、施工現場での負担を軽減できる。
本発明に係る屋外用構造物において、前記水切部材は、前記屋根材の上面に対向配置される接着部と、該接着部の端部から略垂直方向に延びる壁部と、を備えて断面略Ｌ字状に形成され、前記接着部が前記壁部よりも前記屋根材の外周側に位置するように配置されていてもよい。
【００１７】
本発明に係る屋外用構造物の施工方法は、地面に支持部材を立設する工程と、二枚の薄板の間に、発泡体で形成された芯材またはハニカム構造体で構成された芯材が配置されて構成された屋根材の上面に、長尺な水切部材を取り付ける工程と、前記屋根材を水平方向に対して傾斜させて前記支持部材に固定する工程と、を備え、前記屋根材は矩形状に形成され、前記水切部材を取り付ける工程において、前記水切部材は前記屋根部の四辺に沿って設けるとともに、前記屋根材の勾配下側の端部に前記水切部材同士の間に隙間を形成するようにして前記水切部材を取り付けることを特徴とする。
【００１８】
この発明によれば、従来の屋外用構造物に比べて、施工現場での負担を軽減できる。
【００１９】
本発明に係る屋外用構造物の施工方法は、地面に支持部材を立設する工程と、二枚の薄板の間に、発泡体で形成された芯材またはハニカム構造体で構成された芯材が配置されて構成された屋根材の上面に、長尺な水切部材を取り付ける工程と、前記屋根材を水平方向に対して傾斜させて前記支持部材に固定する工程と、を備え、前記水切部材を取り付ける工程において、前記屋根材の勾配下側の辺の近傍に、該勾配下側の辺に対して斜めにして一本の前記水切部材を取り付けることを特徴とする。
【００２０】
この発明によれば、従来の屋外用構造物に比べて、施工現場での負担を軽減できる。
【発明の効果】
【００２１】
本発明によれば、所望の位置に雨水を誘導可能であり、且つ、雨樋を設ける場合に比べて意匠性に優れた屋外用構造物および屋外用構造物の施工方法を提供することができる。また、施工現場での負担を軽減できる。
【図面の簡単な説明】
【００２２】
【図１】本発明の一実施形態に係る屋外用構造物の使用態様を示す斜視図である。
【図２】本発明の一実施形態の屋根材を示す断面図である。
【図３】本発明の一実施形態の水切部材を示す斜視図である。
【図４】本発明の一実施形態の屋外用構造物の上端部を示す側面図である。
【図５】本発明の一実施形態の水切部材の他の配置例を示す上面図である。
【発明を実施するための形態】
【００２３】
本発明の一実施形態に係る屋外用構造物について説明する。図１は本実施形態に係る屋外用構造物１の使用態様を示す斜視図である。図２は、屋外用構造物１の屋根材４の断面図である。図１及び図２に示すように、本実施形態に係る屋外用構造物１は、屋根部２と、支柱（支持部材）３と、水切部材７とを備える。
【００２４】
図１に示すように、屋外用構造物１は、屋根部２が４本の支柱３で支持される構成を有する。支柱３は、例えば、アルミニウム形材からなる。支柱３の上端にはキャップ３２が取り付けられている。図１に示すように、屋外用構造物１は、４本の支柱３で屋根部２が支持される構成を有する。
【００２５】
屋根部２は、略長方形の平板形状を有する。図２に示すように、屋根部２は、屋根材４と、屋根材４の外面を覆う外装材４５と、屋根材４の周囲に取り付けられる枠体６とを備える。
【００２６】
屋根材４は、芯材４１と、芯材４１の両面に配置された薄板４２１、４２２とが積層されて構成されている。芯材４１は、押出発泡ポリスチレンからなる板材である。具体的には、ポリスチレン又はポリスチレンの共重合体に発泡剤等を添加して溶融させた原料を押し出し発泡成形して形成された厚さ３ｃｍの板材である。
【００２７】
薄板は、上側薄板４２１と下側薄板４２２とで構成される。上側薄板４２１は、厚さ０.５ｍｍのアルミニウム板からなる。下側薄板４２２は、厚さ３ｍｍのアルミニウム樹脂複合板からなる。アルミニウム樹脂複合板は、例えば、ポリエチレン等の樹脂芯材の両面にアルミニウム面材が積層されて構成されたものを使用できる。上側薄板４２１及び下側薄板４２２は、芯材４１の上下面にそれぞれ接着剤で貼り付けられて屋根材４が形成されている。
【００２８】
外装材４５は、屋根材４の少なくとも下面に接着材により貼り付けられるシートである。外装材４５は、屋根材４の表面の保護及び意匠性を高めるために設けられる。本実施形態では、外装材４５は、木目模様が印刷されたシートで構成されており、屋根材Ａの上下面に貼り付けられている。この外装材４５を屋根材４に張り付けると、屋根材４が木製の板屋根のような外観となる。なお、外装材４５は、色、模様等を適宜選択して設けることができる。また、外装材４５はシートに限らず、金属や樹脂製の建材や塗装、印刷等であってもよい。
【００２９】
枠体６は、屋根材４の周囲（縁端部）に設けられている。図２に示すように、枠体６は、枠本体６１と、枠本体６１の外周面を覆う屋根枠カバー６２とを備える。枠本体６１及び屋根枠カバー６２は、アルミニウム製の押し出し形材である。枠体６は、外装材４５と同じ柄のシートが貼られたラッピング形材である。
【００３０】
枠本体６１は、略Ｈ字形の断面を有する長尺部材である。枠本体６１は、上下方向に伸びる縦壁部６１６を境界として、屋根材４側に配置される内側凹部６１１と、外方に配置される外側凹部６１２（連結部）とを備える。枠本体６１の一方の内側凹部６１１に屋根材４の外縁部４３が内嵌される。
【００３１】
外側凹部６１２の上下端部には、枠本体６１の長手方向に沿って係止部６１３、６１４が形成されている。屋根枠カバー６２は、長尺な略板状の部材であり、背面６２２の上部及び下部に係止爪６２３、６２４が形成されている。屋根枠カバー６２は、枠本体６１の外側凹部６１２を覆うように配置されて枠本体６１の係止部６１３、６１４と、係止爪６２３、６２４とがそれぞれ係合される。枠本体６１は、屋根部２の長辺の両方に使用できる共通部品である。なお、屋根部２の短辺においても同様の断面形状の枠本体を使用できる。
【００３２】
枠体６は、屋根材４の側面にそれぞれ外嵌されている。枠体６と屋根材４の外嵌部分の隙間は、シール材（不図示）により塞がれて防水処理が施されている。シール材は、例えば、フィルムにアクリル系感圧型粘着剤が設けられた接着テープが用いられる。なお、図２には、屋根材４のみが外装材４５で被覆される構成を示すが、屋根材４及び枠体６が外装材４５で被覆される構成でもよい。また、シール材として、コーキング材を塗布してもよい。
【００３３】
支柱３は、中空の角柱からなる本体部３３と、キャップ３２とを備える。本体部３３の内面には、キャップ３２を固定するための４本のネジ（不図示）がそれぞれ係合される４つの係合部（不図示）が支柱３の上下方向に延設されている。支柱３は、例えば、アルミニウム形材からなる。キャップ３２は、例えば、ＡＳＡ樹脂（Acrylonitrile-Styrene-Acrylate樹脂）からなる。
【００３４】
連結ビス孔（不図示）の周囲のキャップ３２の上面にはスペーサ８が設けられている。スペーサ８は中心に貫通孔が形成された円盤状の部材である。
【００３５】
図３に示すように、水切部材７は、断面が略Ｌ字形状の長尺部材である。水切部材７は、接着部７１と壁部７２とを備える。接着部７１は、屋根部２の上面に接着剤７３（図４参照）を介して接着される部分である。接着部７１の下面は、接着剤７３が配置される凹部７１１が形成されている。壁部７２は、接着部７１の長手方向に延びる端部から、接着部７１に対して略垂直方向に延びるように突出して形成されている。水切部材７は、ＡＳＡ樹脂からなる成型部材である。
【００３６】
接着剤７３は、屋根材４の上面（外装材の上面）及び水切部材７に接着可能であり、屋外での使用に対する耐久性を有する接着剤であれば、種類は限定されない。接着材は、例えば、フィルムにアクリル系感圧型粘着剤が設けられた両面接着テープが用いられる。
【００３７】
次に、屋外用構造物１の構造について説明する。屋外用構造物１は、４本の支柱３の上端部に屋根部２の角がそれぞれ配置されている。屋根部２の角の下面が、各支柱３の上端部のキャップ３２に載置されて固定されている。屋根部２は、平面視長方形状を有し、長辺方向の二辺の内の一辺（図１に符号２Ｈで示す辺）が、他の一辺（図１に符号２Ｌで示す辺）よりも高い位置に配置されている。図１及び図３に示すように、屋根部２は、短辺側が水平方向に対して傾斜するように４本の支柱３に固定されている。
【００３８】
図１に示すように、水切部材７は、屋根部２の四辺に沿って四本設けられている。各水切部材７は、屋根部２の四辺にそれぞれ平行に配置され、且つ、接着部７１が壁部７２よりも屋根部２の外周側に位置するように配置される。４本の水切部材７のうち、屋根部２の長辺方向に上側水切部材７ａ及び下側水切部材７ｂが延設されている。上側水切部材７ａ及び下側水切部材７ｂの端部同士の間に、屋根部２の短辺方向に延びる短手水切部材７ｃ、７ｄが配置されている。２本の短手水切部材７ｃ、７ｄのうちの一方は、下側水切部材７ｂの端部との間には隙間Ｓが形成されるように配置されている。このような水切部材７の配置により、４本の水切部材７で囲まれた領域内の雨水が隙間Ｓから流出するように構成されている。
【００３９】
次に、本実施形態の屋外用構造物１の施工方法を示す。
屋外用構造物１の屋根部２及び支柱３は予め工場で作製されており、これらを施工現場で組み立てることにより屋外用構造物１が得られる。まず、敷地に埋設または固定された複数の土台部（不図示）にそれぞれ４本の支柱３が固定されて立設される。
【００４０】
屋根材４の側面に枠本体６１が固定された状態の屋根部２の上面に水切部材７を取り付ける。図１及び図３に示すように、各水切部材７の凹部７１１に接着剤７３を設け、屋根材４の上面（外装材の上面）に貼り付ける。このとき、各水切部材７は、接着部７１が壁部７２よりも屋根部２の外周側に位置するように配置する。４本の水切部材７のうち、屋根部２の長辺方向に延びる上側水切部材７ａ及び下側水切部材７ｂの端部同士の間に、屋根部２の短辺方向に延びる短手水切部材７ｃ、７ｄを配置する。
【００４１】
屋根部２を４本の支柱３の上端部に載置する。支柱３の上端部に枠本体６１の外側凹部６１２の下部をネジ等により固定して屋根部２を支柱３に固定する。続いて、枠本体６１に、屋根枠カバー６２を係合させて固定し、屋外用構造物１が完成する。
【００４２】
本実施形態の屋外用構造物１によれば、屋根材４が二枚の薄板４２、４２の間に発泡体で形成された芯材４１が配置されて構成されているため、屋根部２を十分な強度を備え、且つ軽量なものにできる。また、従来の屋外用構造物で用いられているポリカーボネート製の屋根材に比べて強度を高くできるため、垂木や母屋等の屋根を構成する部品が不要となり、工場及び施工現場での製造効率が向上する。さらに、屋根材４の下面（天井）を平坦にすることができ、意匠性に優れた屋外用構造物１を提供できる。また、屋根部２の遮光性に優れる。
【００４３】
本実施形態の屋外用構造物１によれば、芯材４１は押出発泡ポリスチレンからなるため、屋根材４の軽量化と、耐熱性、断熱性を向上させることができる。
【００４４】
本実施形態の屋外用構造物１によれば、屋根材４を十分な強度を備え、且つ軽量化できるので、梁が不要となり、枠体６に直接支柱３を連結することにより屋根材４が支持可能となる。したがって、簡便な支持構造となり、屋外用構造物１の施工時の作業性を向上させることができる。また、従来の屋外用構造物１に比べて連結部分の構造が露出しないため、意匠性に優れた屋外用構造物を提供できる。
【００４５】
本実施形態の屋外用構造物１によれば、発泡体で形成された芯材４１を軽量且つ耐久性に優れた薄板４２で挟む構成を備えるので、屋根材４を十分な強度を備え、且つ軽量なものにできる。また、屋根材４の耐熱性、遮光性、及び耐久性を向上させることができる。
【００４６】
本実施形態では断面形状が略Ｌ字型の水切部材７の例を示したが、水切部材の形状はこれに限定されない。水切部材は、屋根部２の上面から突出するように取り付け可能な構成であればよく、例えば、断面が矩形の長尺部材からなる水切部材としてもよい。
【００４７】
本実施形態では、４本の水切部材７ａ、７ｂ、７ｃ、７ｄを屋根部２の四辺に沿って設ける例を示したが、水切部材７の数及び取付位置はこれに限定されない。水切部材７は、屋外用構造物１の設置場所において、少なくとも生活動線上に雨水が落ちることを防げることができればよい。例えば、図５に示すように、傾斜している屋根部２の低い辺２Ｌ側に、平面視において、低い辺２Ｌに対して斜めに１本の水切部材７を設ける構成であってもよい。このような構成によれば、水切部材７のうちの高さが最も低い端部７４（図５参照）側に雨水が誘導されて、その端部７４から雨水を落下させることができる。
【００４８】
上記実施形態では、薄板は上側薄板４２１がアルミニウム板からなり、下側薄板４２２がアルミニウム樹脂複合板からなる例を示したが、薄板はこれに限定されず、軽量且つ耐久性に優れた板材若しくはシートであればよい。例えば、繊維強化プラスチック板、鋼板のいずれか一つまたはいずれかの組み合わせからなる薄板でもよい。また、上側薄板及び下側薄板が同じ材料からなる薄板であってもよい。この他、例えば、薄板として、木目模様等を有するシートを直接発泡体に貼って屋根材を構成してもよい。
【００４９】
上記実施形態では、芯材として、押出発泡ポリスチレンからなる板材を例示したが、芯材は発泡体で形成された軽量且つ屋根材として十分な強度を備えるものであればよい。例えば、発泡スチロール等であってもよい。さらに、屋根材は、発泡ポリスチレン、発泡ポリエチレン、発泡スチロール、樹脂、金属等で形成されたハニカム構造体で構成される芯材を薄板で挟んで構成されてもよい。
【００５０】
上記実施形態では、外装材４５が屋根材４の上下面に設けられる例を示したが、外装材４５は、屋根材４の少なくとも下面に設けられていればよい。
【００５１】
本実施形態では、キャップ３２はＡＳＡ樹脂（Acrylonitrile-Styrene-Acrylate樹脂）からなる例を示したが、キャップの材質はこれに限定されず、例えば、ステンレス等であってもよい。
【００５２】
本実施形態では、アルミニウム板（薄板）と枠体とが別の部材で構成される例を挙げたが、２枚の薄板と長辺方向の枠体とを一体に形成して、２枚の薄板と長辺方向の枠体とで形成された空間に芯材を収容する構成であってもよい。
【００５３】
以上、本発明の実施形態について図面を参照して詳述したが、具体的な構成はこの実施形態に限られるものではなく、本発明の要旨を逸脱しない範囲の設計変更等も含まれる。
また、上述の各実施形態において示した構成要素は適宜に組み合わせて構成することが可能である。
【符号の説明】
【００５４】
１  屋外用構造物
３  支柱（支持部材）
４  屋根材
４１  芯材
４２  薄板
７  水切部材
７２  壁部
７３  接着剤
【図１】
0006652390.tif 000002
【図２】
0006652390.tif 000003
【図３】
0006652390.tif 000004
【図４】
0006652390.tif 000005
【図５】
0006652390.tif 000006